(57)【特許請求の範囲】
【請求項１】
テープロールが設けられるドラム、
前記ドラムを支持するフレーム、
前記フレームに回転可能に設けられ、前記ドラムの前方でテープを案内するガイドローラ、及び、
前記フレームの先端に設けられ前記テープを切断するカッターブレードを含み、
前記カッターブレードは複数個の切断突起が形成された先端からテープが延長される方向に繋がる側端を含み、前記先端は前記側端に対して斜めに形成され、
左手使用者及び右手使用者のいずれであっても把持可能に、前記ドラムの内側に棒状の把持部材が設けられ、前記把持部材は前記ドラムの幅方向に繋がるレールに沿ってスライディング可能に設けられ、
前記カッターブレードの下に、前記フレームから突出され前記テープと当接する補助突起が形成され、前記補助突起は前記カッターブレードに対して下部に斜めに配置され、
前記補助突起は複数個形成され、前記補助突起は前記フレームの幅方向に離隔配置され、かつ前記フレームの一側の側端から他側の側端に向かって行くほど長さが減少するように形成されることを特徴とする、
テープディスペンサー。
【請求項２】
前記側端と前記先端とが成す角は８５度乃至６０度であることを特徴とする請求項１に記載のテープディスペンサー。
【請求項３】
前記カッターブレードの一側の側端に形成された長辺は他側の側端に形成された短辺よりさらに長く形成され、前記長辺の長さは前記短辺の長さの１．２倍乃至５倍であることを特徴とする請求項１に記載のテープディスペンサー。
【請求項４】
前記カッターブレードは前記フレームに固定された支持台に固定され、前記支持台は前記カッターブレードの長辺と並んで形成された第１の保護突起と、前記カッターブレードの短辺と並んで配置された第２の保護突起を有し、前記第１の保護突起の先端と前記長辺の先端との距離は、前記第２の保護突起の先端と前記短辺の先端との距離よりさらに小さく形成されていることを特徴とする請求項１に記載のテープディスペンサー。
【請求項５】
前記フレームには前記ガイドローラの下部に位置し、前記テープを前記ガイドローラに押圧する支持突起が形成されることを特徴とする請求項１に記載のテープディスペンサー。
【請求項６】
前記フレームには２つの支持突起が形成され、前記支持突起は山形に湾曲形成されることを特徴とする請求項５に記載のテープディスペンサー。
【請求項７】
前記補助突起と前記カッターブレードが成す傾斜角は５度乃至３０度であることを特徴とする請求項１に記載のテープディスペンサー。
【請求項８】
前記フレームには弾性を有する素材からなる緩衝カバーが結合され、前記フレームには前記緩衝カバーの側端を抱える支持リブが形成されることを特徴とする請求項１に記載のテープディスペンサー。
【発明の詳細な説明】
【技術分野】
【０００１】
本発明は、テープディスペンサーに関するものであって、より詳細には斜めに形成されたカッターブレードを有するテープディスペンサーに関するものである。
【背景技術】
【０００２】
よく知られているように、物品が収納された段ボールは接着テープで密封して運搬し、このような段ボールの密封はローラ方式の接着テープカッティング機による作業者の手作業で行われている。
【０００３】
従来から使用されているテープカッティング機は通常巻物状の接着性テープが巻芯を介して回転可能に結合された本体と、本体の移動時にテープが段ボールの表面に密着される回転式ドラム部材と、本体内に提供されテープの引出を案内する少なくとも一つ以上のローラ部材と、本体の前方先端に露出された状態で提供されドラム部材を中心とする回動の際に段ボールに付着されたテープをカッティングさせる固定型カッティング刃を含んで構成される。
【０００４】
これは段ボールの梱包時の切開部位の始め位置にテープの先端を付着させた状態で本体を切開ラインに沿って移動させると、回転されるドラム部材が接着テープを押圧しながら移動することになり、同時に押圧回転力によりテープが切開部位に付着され、このとき接着テープは引っ張る力により回転され、テープを連続して引き出すことができる。
【０００５】
以後、テープが切開部位を密封させると作業者は本体を段ボールから所定幅離隔されるようにした後、テープの表面が密着されたドラム部材を中心に本体を回動させると、本体の前方に露出されたカッティング刃がテープの表面を押圧してカッティングさせる。
【０００６】
しかし、上述したような従来のテープカッティング機は作業者が手でとって使用するものであって、プラスチック材質の本体をとって使用する場合、手から滑る可能性があるため障害発生の危険性があり、テープカッティング機の前端に引き出されながら、段ボールにテープを付着する際に密着されない部分が生じ、再び手で押さなければならない問題点がある。
【発明の概要】
【発明が解決しようとする課題】
【０００７】
本発明の目的は、テープを容易にカッティングできるテープディスペンサーを提供することにある。
【０００８】
また、本発明の他の目的はテープを容易に把持することができるテープディスペンサーを提供することにある。
【課題を解決するための手段】
【０００９】
本発明の一側面によるテープディスペンサーはテープロールが設けられるドラムと、前記ドラムを支持するフレームと、前記フレームに回転可能に設けられ、前記ドラムの前方でテープを案内するガイドローラ、及び前記側壁の先端に設けられ前記テープを切断するカッターブレードを含み、前記カッターブレードは複数個の切断突起が形成された先端からテープが延長される方向に繋がる側端を含み、前記先端は前記側端に対して斜めに形成される。
【００１０】
ここで前記側端と前記先端とが成す角は８５度乃至６０度であることが好ましい。
【００１１】
また、前記カッターブレードの一側の側端に形成された長辺は他側の側端に形成された短辺よりさらに長く形成され、前記長辺の長さは前記短辺の長さの１．２倍乃至５倍であることが好ましい。
【００１２】
また、前記カッターブレードは前記フレームに固定された支持台に固定され、前記支持台は前記カッターブレードの長辺と並んで形成された第１の保護突起と、前記カッターブレードの短辺と並んで配置された第２の保護突起を有し、前記第１の保護突起の先端と前記長辺の先端との距離は、前記第２の保護突起の先端と前記短辺の先端との距離よりさらに小さく形成され得る。
【００１３】
また、前記ドラムの内側には棒状の把持部材が設けられ、前記把持部材は前記ドラムの幅方向に繋がるレールに沿ってスライディング可能に設けられる。
【００１４】
また、前記フレームには前記ガイドローラの下部に位置し、前記テープを前記ガイドローラに押圧する支持突起が形成され得る。
【００１５】
また、前記フレームには２つの支持突起が形成され、前記支持突起は山形に湾曲形成されてもよい。
【００１６】
また、前記カッターブレードの下には、前記フレームから突出され前記テープと当接する補助突起が形成され、前記補助突起は前記カッターブレードに対して下部に斜めに配置されてもよい。
【００１７】
また、前記補助突起と前記カッターブレードが成す傾斜角は５度乃至３０度であることが好ましい。
【００１８】
また、前記フレームには前記補助突起が複数個形成され、前記補助突起は前記フレームの幅方向に離隔配置され、かつ前記フレームの一側の側端から他側の側端に向かって行くほど長さが減少するように形成され得る。
【００１９】
また、前記フレームには弾性を有する素材からなる緩衝カバーが結合され、前記フレームには前記緩衝カバーの側端を抱える支持リブが形成され得る。
【発明の効果】
【００２０】
本発明の一側面によるテープディスペンサーはカッターブレードの切断突起が形成された先端が斜めに配置されて、より容易にテープを切断することができる。
【００２１】
また、取っ手はドラムに形成されたレールに沿って移動可能に設けられるので左手及び右手に選択的に適合使用することができる。
【００２２】
また、支持突起が形成されており、テープがカッティングされた後にも再びテープがロールに付着されることがないので再使用が容易である。
【図面の簡単な説明】
【００２３】
【図１】本発明の第１実施例によるテープディスペンサーを上からみた斜視図。
【図２】本発明の第１実施例によるテープディスペンサーを下からみた斜視図。
【図３】本発明の第１実施例によるテープディスペンサーの縦断面図。
【図４】本発明の第１実施例によるフレームとガイドローラを示した斜視図。
【図５】本発明の第１実施例による緩衝カバーを示した斜視図。
【図６】本発明の第１実施例によるカッターブレードと支持台を示した平面図。
【図７】本発明の第２実施例によるテープディスペンサーを切った縦断面図。
【図８】本発明の第２実施例による補助突起を示した斜視図。
【発明を実施するための形態】
【００２４】
以下では、添付した図面を参照して本発明の実施例に対して当業者が容易に実施できるように詳細に説明する。本発明は多様な変形を加えることができ、様々な実施例を有することができるので、特定実施例を図面に例示して詳細に説明する。
しかし、これは本発明を特定した実施形態に対して限定するものではなく、本発明の技術的な思想及び技術範囲に含まれるすべての変更、均等物乃至代替物を含むものと理解されるべきである。
【００２５】
第１、第２等の序数を含む用語は、多様な構成要素を説明するために使われるが、前記構成要素は前記用語によって限定されない。前記用語は、一つの構成要素を他の構成要素から区別する目的だけで使われる。
【００２６】
例えば、本発明の権利範囲を逸脱しない限り、第１構成要素は第２構成要素に命名でき、同様に第２構成要素も第１構成要素と命名できる。及び／又はという用語は、複数の関連する記載項目の組み合わせ又は複数の関連する記載項目中のいずれかの項目を含む。
【００２７】
ここで用いられる全ての用語は、別途定義しない限り、技術的または科学的な用語を含み、本発明が属する技術分野で通常の知識を有する者であれば一般的に理解可能な用語と同一の意味を有する。一般的に用いられる予め定義されているような用語は、関連技術の文脈上の意味と一致する意味を有すると解釈すべきで、本発明で明らかに定義しない限り、理想的または過度に形式的な意味に解釈しない。
【００２８】
図１は本発明の第１実施例によるテープディスペンサーを上からみた斜視図であり、図２は本発明の第１実施例によるテープディスペンサーを下からみた斜視図であり、図３は本発明の第１実施例によるテープディスペンサーを切った縦断面図である。
【００２９】
図１乃至図３を参照して説明する。本実施例によるテープディスペンサー１００はテープロール９０が設けられるドラム１０とドラム１０を支持するフレーム２０と、ドラム１０の前方でテープ９１を案内するガイドローラ３０と、テープ９１を切断するカッターブレード４０と、フレームに結合された緩衝カバー５０を含む。
【００３０】
ドラム１０は円形の断面を有する管状からなり、ドラム１０の外周面にテープロール９０が設けられる。ドラム１０はテープロール９０の中央に挿入され、テープロール９０は、ドラムに対して回転可能に設けられる。一方、ドラム１０の内側にはフレーム２０に形成された支持バー２９が挿入される輪部１３が突出形成される。
【００３１】
また、ドラム１０の内側にはドラム１０の幅方向に繋がるレール１４が設けられるが、レール１４は略Ｔ字状の終端を有する。レール１４には把持部材１５がスライディング可能に設けられ、把持部材１５は使用者の指で抱えることができるように山形の外周面を有する棒状からなる。把持部材１５にはレール１４が挿入される溝１５ａが形成され、把持部材１５はレール１４に沿ってドラム１０の幅方向に移動することができる。
【００３２】
使用者が右手でテープディスペンサー１００を把持する際には、把持部材１５を右側に移動させ、使用者が左手でテープディスペンサー１００を把持する際には把持部材１５を左側に移動させ、より容易にテープディスペンサー１００を把持することができる。
【００３３】
図４は本発明の第１実施例によるフレームとガイドローラを示した斜視図である。
【００３４】
図１乃至図４を参照して説明する。フレーム２０はドラム１０の上部からドラム１０を覆うように設けられる。フレーム２０にはドラム１０とガイドローラ３０とが固定設置されるが、ドラム２０は、支持バー２９を介してフレーム２０に固定される。支持バー２９はフレーム２０にねじ等により固定される。
【００３５】
フレーム２０は上部面２１と上部面２１から曲がってドラムの側面と平行に延長された側部面２２を含む。ガイドローラ３０はフレーム２０に回動可能に設けられ、フレーム２０にはガイドローラ３０を支持する回動軸３５が挿入されるホール２８が形成される。ガイドローラ３０はフレーム２０の側部面２２の間に挿入される。ガイドローラ３０は円柱状からなる。
【００３６】
フレーム２０にはテープロールから離脱されたテープ９１を支持する支持突起２３が形成されるが、支持突起２３はテープディスペンサー１００の両方の側面に配置されたフレーム２０の側部面２２からそれぞれ突出形成される。支持突起２３はガイドローラ３０の下からテープ９１をガイドローラ３０に向かう方向に押圧する役割をする。これにより、テープロール９０から離脱されたテープ９１が再びテープロール９０に付着されることなく再使用が容易な状態で維持される。
【００３７】
支持突起２３の上端には窪む切開部２３ａが形成されるが、切開部２３ａが形成されることにより、テープロール９０から離脱されたテープ９１が支持突起２３の内側に容易に挿入できる。フレーム２０にはフレーム２０を覆う緩衝カバー５０が設けられるが、フレーム２０には緩衝カバー５０の下端を抱える支持リブ２７が形成される。
【００３８】
一方、フレーム２０の一側の側部面２２には補助刃６１が設けられるケーシング２５が形成され、ケーシング２５内部には補助刃６１がスライディング可能に設けられる。また、補助刃６１には補助刃６１を移動させるためのボタン６２が結合設置されている。
【００３９】
図５は本発明の第１実施例による緩衝カバーを示した斜視図である。
【００４０】
図５を参照して説明する。緩衝カバー５０はフレーム２０の上部面２１と側部面２２を覆うように設けられ、弾性を有するポリウレタンからなる。緩衝カバー５０は分離可能な２つのフレートからなり、２つのフレートは緩衝カバーの幅方向の中央で結合される。緩衝カバー５０にはフレームを露出させる開口５３が形成され、緩衝カバー５０の一側の側部面にはケーシング２５が挿入される溝５７が形成される。
【００４１】
緩衝カバー５０は上部面５１と上部面から曲がってドラム１０の側面と平行に延長された側部面５２を含む。上部面５１に前記した開口５３が形成され、側部面５２にはガイドローラ３０を支持する回動軸３５が挿入されるホール５５が形成される。
【００４２】
このようにフレーム２０に緩衝カバー５０が設けられると、墜落などの原因による外部衝撃によりテープディスペンサー１００が破損されることを防止することができる。
【００４３】
図６は本発明の第１実施例によるカッターブレードと支持台を示した平面図である。
【００４４】
図６を参照して説明する。カッターブレード４０はブレード状からなり、複数個の切断突起が形成された先端４１からテープが延長される方向に繋がる側端４２、４３を含む。ここで先端４１は側端４２に対して斜めに形成されるが、先端４１が側端４２に対して斜めになった傾斜角Ａ１は８５度乃至６０度であることが好ましい。
【００４５】
カッターブレード４０の一側の側端４２に形成された長辺は他側の側端４３に形成された短辺よりさらに長く形成され、長辺の長さは短辺の長さの１．２倍乃至５倍であることが好ましい。
【００４６】
カッターブレード４０は支持台４７を介してフレーム２０に固定されるが、支持台４７はフレーム２０に固定されたベース４７ａとベース４７ａから突出された第１の保護突起４７ｂ及び第２の保護突起４７ｃを含む。第１の保護突起４７ａは長辺と隣接して並んで配置され、第２の保護突起４７ｃは短辺と隣接して並んで配置される。第１の保護突起４７ｂは長辺の外側に位置し、第２の保護突起４７ｃは短辺の外側に位置して使用者がカッターブレード４０により傷つくことを防止する。
【００４７】
第１の保護突起４７ｂの先端と長辺の先端との距離Ｈ１は、第２の保護突起４７ｃの先端と短辺の先端との距離Ｈ２よりさらに小さく形成される。第１の保護突起４７ｂの先端と長辺の先端との距離Ｈ１は、第２の保護突起４７ｃの先端と短辺の先端との距離Ｈ２の０．９倍乃至０．５倍であることが好ましい。
【００４８】
本実施例のようにカッターブレード４０が斜めに形成されると、より小さい力でもテープをカッティングすることができ、傾斜面に沿ってテープが切断されるのでテープが不規則に切断されることを防止することができる。
【００４９】
図７は本発明の第２実施例によるテープディスペンサーを切った縦断面図であり、図８は本発明の第２実施例による補助突起を示した斜視図である。
【００５０】
図７及び図８を参照して説明する。本実施例によるテープディスペンサー２００は補助突起８０が形成されたことを除いては、前記第１実施例によるテープディスペンサーと同一の構造からなるので、同一の構造に関する重複説明は省略する。
【００５１】
カッターブレード４０の下にはフレーム２０から突出されテープ９１と当接する補助突起８０が形成される。補助突起８０はテープ９１の張力を維持させるだけでなく、補助突起８０がくさび状になった場合にはテープ９１に傷をつけてテープ９１を切断することもできる。
【００５２】
フレーム２０には複数個の補助突起８０が形成され、カッターブレード４０の長辺から短辺に向かう方向に行くほど補助突起８０の長さが減少するように形成される。これにより、テープ９１に適切な張力を形成してさらに容易にテープ９１を切断することができる。
【００５３】
補助突起はカッターブレードに対して下部に斜めに形成されるが、補助突起とカッターブレードとが成す傾斜角は５度乃至３０度であることが好ましい。
【００５４】
以上のように、本明細書と図面には本発明の好ましい実施例に対して開示しており、たとえ特定用語が使われたとしても、これは単に本発明の技術内容を簡単に説明して発明の理解を助けるための一般的な意味で使われたことであって、本発明の範囲を限定しようとするものではない。
ここに開示された実施例以外にも本発明の技術的思想を逸脱しない範囲内で様々な置換及び変形が可能であるということは本発明が属する技術分野の通常の知識を有する者において自明なことである。
【図１】
0006424228.tif 000002
【図２】
0006424228.tif 000003
【図３】
0006424228.tif 000004
【図４】
0006424228.tif 000005
【図５】
0006424228.tif 000006
【図６】
0006424228.tif 000007
【図７】
0006424228.tif 000008
【図８】
0006424228.tif 000009